(57)【要約】【課題】  サイドロック部のロックが不完全でも、落下時に自動的にロックされることによりテープカセットを確実に保護することができるテープカセット収納ケースを提供する。【解決手段】テープカセット５０を収納する周壁を有する収納部１１と、収納部１１を囲む外壁２６を有する蓋部１２と、収納部１１及び蓋部１２を開閉可能にヒンジ連結された連結板１３と、蓋部１２の外壁２６の外側面に形成された係合部３８と、収納部１１の周壁の一部にヒンジ連結され、回動に伴い係合部３８に係止されるサイドロック部１４とを備えたテープカセット収納ケースであって、サイドロック部１４が、蓋部１２の閉蓋時における該蓋部１２の外壁２６より収納部１１側の位置で、収納部１１に対してヒンジ連結した。【選択図】  図１
2006008142.tif 000002
【特許請求の範囲】
【請求項１】
テープカセットを収納する周壁を有する収納部と、前記収納部を囲む外壁を有する蓋部と、前記収納部及び前記蓋部を開閉可能にヒンジ連結された連結板と、前記蓋部の前記外壁の外側面に形成された係合部と、前記収納部の前記周壁の一部にヒンジ連結され、回動に伴い前記係合部に係止されるサイドロック部とを備えたテープカセット収納ケースであって、
前記サイドロック部が、前記蓋部の閉蓋時における該蓋部の外壁より前記収納部側の位置で、前記収納部に対してヒンジ連結されていることを特徴とするテープカセット収納ケース。
【請求項２】
前記サイドロック部が、前記蓋部の閉蓋時における該蓋部の外壁表面との間の隙間を１ｍｍ以下に設定していることを特徴とする請求項１記載のテープカセット収納ケース。
【発明の詳細な説明】
【技術分野】
【０００１】
本発明は、本発明はテープカセット収納ケースに関し、特に、内部に収納したテープカセットを確実に保護する技術に関する。
【背景技術】
【０００２】
例えば、放送局などで用いる放送機材のうち、最近の録画取材専用テレビカメラは、携帯性の良好な小型デジタルビデオカメラが使用されるようになってきている。このカメラは小型であっても、ディジタル信号処理により高画質を得られるため、放送局用カメラマン、録画取材専門家などの業務用機材として多用されている。
このような携帯用デジタルビデオカメラに装填して用いるデジタルビデオカセットは、収録時間の異なる複数種のサイズがあり、それぞれ専用のテープカセット収納ケースに入れられて市販されている。
従来のテープカセット収納ケースの一例として、収納部と、蓋部と、ヒンジ連結部と、サイドロック部とからなるテープカセット収納ケースが知られている（例えば、特許文献１参照）。
【０００３】
図６，図７に示すように、特許文献１に開示されたテープカセット収納ケース７０は、ハードタイプのケースであって、四つの側壁７２を有する収納部７１と、三つの側壁７４を有する蓋部７３と、収納部７１の底面板及び蓋部７３の天面板７５とを接続し、蓋部７３を閉じた状態で蓋部７３の一側壁になるヒンジ連結部７６とからなる。
テープカセット収納ケース７０には、収納部７１においてヒンジ連結部７６とは反対の正面側に、サイドロック部７７がヒンジ連結されている。サイドロック部７７は、収納部７１の側壁７２の外側に蓋部７３の側壁７４が重ね合わされて閉じられた際に、蓋部７３の側壁７４の外表面に形成された係止部７８に係止されてロックされる。
【特許文献１】特開２００２−１７９１７６号公報
【発明の開示】
【発明が解決しようとする課題】
【０００４】
ところが、上記特許文献１では、サイドロック部７７のロックが不完全な状態で搬送した際に、使用者が誤ってテープカセット収納ケース７０を落下させる等して衝撃が加わった場合に、テープカセット収納ケース７０が開いてしまい、収容されているテープカセットが放出されてテープカセットを損傷してしまう虞がある。
【０００５】
本発明は、上述した事情に鑑みてなされたものであり、その目的は、サイドロック部のロックが不完全である場合に自動的にロックをかけることを可能にし、もって、テープカセットを確実に保護することができるテープカセット収納ケースを提供することにある。
【課題を解決するための手段】
【０００６】
上記目的は下記構成のテープカセット収納ケースにより達成される。
（１）  テープカセットを収納する周壁を有する収納部と、前記収納部を囲む外壁を有する蓋部と、前記収納部及び前記蓋部を開閉可能にヒンジ連結された連結板と、前記蓋部の前記外壁の外側面に形成された係合部と、前記収納部の前記周壁の一部にヒンジ連結され、回動に伴い前記係合部に係止されるサイドロック部とを備えたテープカセット収納ケースであって、前記サイドロック部が、前記蓋部の閉蓋時における該蓋部の外壁より前記収納部側の位置で、前記収納部に対してヒンジ連結されていることを特徴とするテープカセット収納ケース。
【０００７】
このように構成されたテープカセット収納ケースにおいては、サイドロック部のロックが不完全である場合でも、サイドロック部が、蓋部の閉蓋時における該蓋部の外壁より収納部側の位置で収納部に対してヒンジ連結されているために、単にテープカセット収納ケースを平面上に当接させただけで、サイドロック部がヒンジ連結部により回動し、自動的にロックがかかるようになる。従って、サイドロック部のロックが不完全であっても、机上に載置したり、床面に落下した場合等に自動的にロックされ、テープカセットを確実に保護することができる。
【０００８】
（２）  前記サイドロック部が、前記蓋部の閉蓋時における該蓋部の外壁表面との間の隙間を１ｍｍ以下に設定していることを特徴とする請求項１記載のテープカセット収納ケース。
【０００９】
このように構成されたテープカセット収納ケースにおいては、サイドロック部と蓋部の外壁表面との隙間が１ｍｍ以下であるため、ケースに外力が加わってもサイドロック部の変形代が小さいために、ロックが外れにくくなる。
【発明の効果】
【００１０】
本発明のテープカセット収納ケースによれば、サイドロック部のロックが不完全な状態であっても、テープカセット収納ケースを平面上に載置しただけで、サイドロック部が回動して、自動的にロックがかかるようになる。これにより、サイドロック部のロックが不完全であっても、机上に載置したり、床面に落下した場合等に自動的にロックされ、テープカセットを確実に保護することができる。
【発明を実施するための最良の形態】
【００１１】
以下、本発明に係るテープカセット収納ケースの好適な実施の形態について、図面を参照して詳細に説明する。
図１は本発明に係るテープカセット収納ケースの一実施形態を示す開蓋状態の外観斜視図である。また、図２は図１に示すテープカセット収納ケースの蓋部を収納部に閉じた閉蓋状態での外観斜視図で、図３は図２に示すテープカセット収納ケースのＰ−Ｐ断面図である。
【００１２】
図１に示すように、本発明の一実施形態であるテープカセット収納ケース１０は、収納部１１と、蓋部１２と、収納部１１及び蓋部１２にヒンジ連結された連結板１３と、収納部１１の一部にヒンジ連結されたサイドロック部１４とが一体成形により構成されている。テープカセット収納ケース１０は、例えばポリプロピレン（ＰＰ）等の高分子樹脂を素材としている。
【００１３】
収納部１１には、底板１５の外縁部に、周囲の四方を囲んで配された周壁１６，１７，１８，１９が底板１５上に直立して形成されている。周壁１６は収納部１１の前面側に配され、周壁１７は収納部１１の背面側に配され、周壁１８，１９は収納部１１の左・右面側に配されている。周壁１６，１７，１８，１９の中央部には、テープカセット取り出しのため、高さが低くなるように切除された切欠２０，２１，２２，２３がそれぞれ形成されている。
【００１４】
収納部１１には、底板１５の中央部に、一対のリール係止リブ２４，２４が形成されている。リール係止リブ２４，２４は、筒方向にスリットを有する円筒形状に形成されており、テープカセット５０に有する巻取ハブ（不図示）を挿入することにより、テープカセット５０を周壁１６，１７，１８，１９の内側に位置決めする。
【００１５】
収納部１１には、周壁１６の前面の側部に、一対の第１係合部２５，２５が形成されている。第１係合部２５，２５には、図２に示すように、蓋部１２が閉じられる際に、蓋部１２に有する外壁２６，２７，２８のうちの連結板１３側とは反対側の外壁２６の内側に形成された一対の係合突部２９，２９が係止される。
【００１６】
蓋部１２には、天板３０の外縁部に周囲の３方を囲んで配された外壁２６，２７，２８が天板３０上に直立して形成されている。外壁２６は、蓋部１２が収納部１１に閉じられた際に収納部１１の前面に対応して配され、外壁２７，２８は、同様にして収納部１１の左・右面側に対応して配されている。
【００１７】
蓋部１２には、外壁２６の外面の中央部に第２係合部（図２参照）３８が形成されている。
連結板１３は、収納部１１と蓋部１２との端部の間に、湾曲された板形状に形成されており、幅方向の両端部に配置されたヒンジ３９，４０によってヒンジ連結されている。一方のヒンジ３９は、収納部１１の底板１５の端部に繋がれており、他方のヒンジ４０は、蓋部１２の天板３０の端部に繋がれている。
【００１８】
サイドロック部１４は、台形形状の板状に形成された本体３４と、延長板部３５とから構成されている。本体３４の上面には、第２係止部３６が形成されている。延長板部３５は、本体３４に対して直交して連設されており、端部が収納部１１の底板１５に、ヒンジ部３７を介して連結されている。
【００１９】
サイドロック部１４は、図２に示すように、蓋部１２が収納部１１に対して閉じられることにより、第１係合部２５，２５に係合突部２９，２９がそれぞれ係止された後に、ヒンジ部３７を介して図１中の上方に向けて回動されることにより、第２係止部４２が、蓋部１２の第２係合部３８に係止ロックされて、所謂、ダブルロック機能をなす。
【００２０】
サイドロック部１４は、蓋部１２の閉蓋時における蓋部１２の外壁２６より収納部１１側の位置で、収納部１１に対してヒンジ連結されている。また、蓋部１２が収納部１１に対して閉じられて、第１係合部２５，２５に係合突部２９，２９がそれぞれ係止された際には、図３に示すように、第２係止部３６が蓋部１２の外壁２６に有する第２係合部３８に未係止の状態で、延長板部３５が収納部１１の底板１５の下方に突出して配置される。  そして、使用者によって、ヒンジ部３７を介して図１中の上方に向けて回動されることにより、第２係止部３６が蓋部１２の第２係合部３８に係止ロックされる。このとき、第２係止部３６が第２係合部３１に係止されることにより、延長板部３５は、収納部１１の底板１５と同一平面上に配置される。また、蓋部１２が収納部１１に閉じられると、収納部１１の周壁１６，１８，１９の周りに蓋部１２の外壁２６，２７，２８が配置されることになる。
【００２１】
また、図３に示すように、テープカセット収納ケース１０は、収納部１１の底板１５、サイドロック部１４の延長板部３５、サイドロック部１４の本体３４を繋ぐパーティングラインＰＬを用いて樹脂成形される（図３では収納部１１とサイドロック部１４に対してのみＰＬラインを記載）。そのために、複雑な形状の型分離を行う必要がないので、金型にかかる設備費用を、従来のものと比べて多く必要としない。
【００２２】
次に、図４を参照して、テープカセット収納ケース１０が落下した際におけるサイドロック部１４の動きについて説明する。図４（ａ）は図１に示すテープカセット収納ケースにおいてサイドロック部のロックが不完全な状態で落下させた場合のサイドロック部周りの縦断面図で、図４（ｂ）はテープカセット収納ケースの落下後の縦断面図である。
【００２３】
図４（ａ）に示すように、収納部１１の第１係合部２５，２５に、蓋部１２の係合突部２９，２９がそれぞれ係止されることにより蓋部１２が閉じられた状態で、サイドロック部１４のロックが不完全な状態、つまり、第２係止部３６が第２係合部３１に係止されていないままの状態で、使用者が誤ってテープカセット収納ケース１０を落下させてしまった場合、収納部１１の底板１５から突出している延長板部３５が床５１に衝突する。延長板部３５が床５１に衝突すると、テープカセット５０が収納されているテープカセット収納ケース１０の自重により、サイドロック部１４が、図５中時計回転方向に回動される。
【００２４】
そして、図４（ｂ）に示すように、テープカセット収納ケース１０が床５１に着地すると、サイドロック部１４の延長板部３５が収納部１１の底板１５と同一平面上に配置されるので、第２係止部３６が第２係合部３１に自動的に係止される。
【００２５】
上記のように、サイドロック部１４は、蓋部１２が収納部１１に対して閉じられて第１係合部２５，２５に係合突部２９，２９がそれぞれ係止されているが、第２係止部３６が第２係合部３１に完全に係止されていない状態であっても、使用者が誤ってテープカセット収納ケース１０を落下させてしまったとき等に、まず、収納部１１の底板１５から突出している延長板部３５が、接触相手となる床やテーブルに衝突することで、サイドロック部１４が回動され、延長板部３５が収納部１１の底板１５と同一平面上に配置される。このサイドロック部１４の回動により、第２係止部３６が第２係合部３１に係止されることになる。従って、サイドロック部１４をロックし忘れる等のロックが不完全である場合でも、テープカセット収納ケース１０の落下時等に、第２係止部３６を第２係合部３１に自動的にロックさせることができる。これにより、蓋部１２が不用意に開くことなく、つまり、収納されているテープカセット５０を放出することなく確実に保護することができる。また、上記作用は、机上にテープカセット収納ケースを載置した場合も同様で、載置することによりサイドロック部１４を第２係合部３１にロックさせることができる。
【００２６】
また、図５に示すように、第２係止部３６が収納部１１の第２係合部３１に係止ロックされるとき、サイドロック部１４は、延長板部３５のヒンジ部３７が、閉じられた蓋部１２の外壁２６の端部の下側に配置されているために、蓋部１２の外壁２６表面とサイドロック部１４の本体３４との間が、小さい距離ｔ１（１ｍｍ以下）に設定されている。そのために、サイドロック部１４の第２係止部３６は、仮にケースに外力が加わっても、サイドロック部１４の変形代が小さいために外壁２６の第２係合部３１に強固に係止されて容易に外れることがない。
【００２７】
以上、前述したテープカセット収納ケース１０によれば、サイドロック部１４の第２係止部３６を蓋部１２の第２係合部３１に係止しないままの状態で、使用者が誤ってテープカセット収納ケース１０を落下させてしまったとしても、延長板部３５が床５１に最初に衝突することにより、サイドロック部１４の第２係止部３６を蓋部１２の第２係合部３１に係止させるために回動される。それにより、サイドロック部１４が落下時に自動的にロックされるて、テープカセット５０を確実に保護することができる。
【００２８】
なお、本発明のテープカセット収納ケース１０は、前述した実施形態に限定されるものではなく、適宜、変形、改良等が可能である。例えば、サイドロック部１４のヒンジ部３７を収納部１１の底板１５に設け、且つ延長板部３５を収納部１１の底板１５から切り出して形成して独立に回動動作可能にした構成とすれば、延長板部３５の長さを稼ぐことができ、サイドロック部１４の回動を助長することができる。また、落下して相手部材に衝突した際の衝撃力を緩和するために、延長板部の外面に、ダンパ等の緩衝手段を取り付けても良い。
【図面の簡単な説明】
【００２９】
【図１】本発明に係るテープカセット収納ケースの一実施形態を示す開状態の外観斜視図である。
【図２】図１に示したテープカセット収納ケースの蓋部を収納部に閉じた状態での外観斜視図である。
【図３】図２に示すテープカセット収納ケースのＰ−Ｐ断面図である。
【図４】（ａ）は図１に示すテープカセット収納ケースにおいてサイドロック部のロックが不完全な状態で落下させた場合のサイドロック部周りの縦断面図で、（ｂ）はテープカセット収納ケースの落下後の縦断面図である。
【図５】図２に示したテープカセット収納ケースにおけるサイドロック部をロックした状態での縦断面図である。
【図６】従来のテープカセット収納ケースの蓋部を収納部に閉じた状態での外観斜視図である。
【図７】図６に示したテープカセット収納ケースのサイドロック部周りの縦断面図である。
【符号の説明】
【００３０】
１０  テープカセット収納ケース
１１  収納部
１２  蓋部
１３  連結板
１４  サイドロック部
３１  第２係合部（係合部）
３４  本体
３５  延長板部
３６  第２係止部（係止部）
５０  テープカセット
【図１】
2006008142.tif 000003
【図２】
2006008142.tif 000004
【図３】
2006008142.tif 000005
【図４】
2006008142.tif 000006
【図５】
2006008142.tif 000007
【図６】
2006008142.tif 000008
【図７】
2006008142.tif 000009